(57)【特許請求の範囲】
【請求項１】
ドライブ線及び走査線の複数の交差位置に配置されかつ前記走査線及び前記ドライブ線間に接続された複数の容量性発光素子と、前記走査線を異なる第１又は第２電位のいずれか一方に接続自在とする走査スイッチ手段と、前記ドライブ線を前記第１又は第２電位又は駆動源のいずれかに接続自在とする駆動スイッチ手段と、前記駆動スイッチ手段及び前記走査スイッチ手段を制御する発光制御手段と、からなり、前記走査スイッチ手段が前記走査線を前記第１又は第２電位のいずれか低い方へ接続する走査期間に同期して前記駆動スイッチ手段が選択的に前記ドライブ線を駆動源に接続して、選択された容量性発光素子を発光せしめる容量性発光素子ディスプレイ装置の駆動方法であって、前記走査期間の間にリセット期間を設け、前記リセット期間において、すべてのドライブ線のうち、今回の走査期間において前記駆動源への接続がなされない非接続ドライブ線を選択し、前記リセット期間において、すべての走査線を同一電位からなるリセット電位に接続すると共に、選択された前記非接続ドライブ線をアース電位に接続し、他のドライブ線を前記リセット電位に接続することを特徴とする駆動方法。
【請求項２】
ドライブ線及び走査線の複数の交差位置に配置されかつ前記走査線及び前記ドライブ線間に接続された複数の容量性発光素子と、前記走査線を異なる第１又は第２電位のいずれか一方に接続自在とする走査スイッチ手段と、前記ドライブ線を前記第１又は第２電位又は駆動源のいずれかに接続自在とする駆動スイッチ手段と、前記駆動スイッチ手段及び前記走査スイッチ手段を制御する発光制御手段と、からなり、前記走査スイッチ手段が前記走査線を前記第１又は第２電位のいずれか低い方へ接続する走査期間に同期して前記駆動スイッチ手段が選択的に前記ドライブ線を駆動源に接続して、選択された容量性発光素子を発光せしめる容量性発光素子ディスプレイ装置の駆動方法であって、前記走査期間の間にリセット期間を設け、前記リセット期間において、すべてのドライブ線のうち、前回及び今回の走査期間において前記駆動源への接続がなされない非接続維持ドライブ線を選択し、前記リセット期間において、すべての走査線を同一電位からなるリセット電位に接続すると共に、選択された前記非接続維持ドライブ線をアース電位に接続し、他のドライブ線を前記リセット電位に接続することを特徴とする駆動方法。
【請求項３】
前記非接続ドライブ線または前記非接続維持ドライブ線の選択は、前記今回の走査期間の直前のリセット期間において行なわれることを特徴とする請求項１又は２に記載の駆動方法。
【請求項４】
前記第1及び第2電位は、一方がアース電位で他方が前記容量性発光素子の発光規定電圧から発光閾値電圧までの電位差よりも大なる電位であることを特徴とする請求項１ないしは３のいずれか一つに記載の駆動方法。
【請求項５】
前記第1及び第2電位は、一方がアース電位で他方が前記容量性発光素子の発光規定電圧と等しい電位であることを特徴とする請求項１ないしは３のいずれか一つに記載の駆動方法。
【請求項６】
前記リセット電位は、前記第１又は第２電位のいずれか高い方に等しいことを特徴とする請求項１ないしは５のいずれか一つに記載の駆動方法。
【請求項７】
前記走査期間において、前記選択された容量性発光素子が接続される走査線は、前記アース電位に接続されると共に、他の走査線は、前記容量性発光素子の発光規定電圧から発光閾値電圧までの電位差よりも大なる電位に接続されることを特徴とする請求項４に記載の駆動方法。
【請求項８】
前記走査期間において、前記選択された容量性発光素子が接続される走査線は、前記アース電位に接続されると共に、他の走査線は、前記容量性発光素子の発光規定電圧と等しい電位に接続されることを特徴とする請求項５に記載の駆動方法。
【請求項９】
前記走査期間において、選択された容量性発光素子が接続されるドライブ線を除く他のドライブ線はアース電位に接続されることを特徴とする請求項４，５，７，８のいずれか一つに記載の駆動方法。
【請求項１０】
前記容量性発光素子はエレクトロルミネッセンス素子であることを特徴とする請求項１ないしは９のいずれか一つに記載の駆動方法。
【請求項１１】
前記容量性発光素子は、平行に伸長した複数のドライブ線及び各々が前記ドライブ線に垂直で平行に伸長した複数の走査線の各交差位置に配置されかつ前記走査線及び前記ドライブ線に接続されたことを特徴とする請求項１ないしは１０のいずれか一つに記載の駆動方法。
【請求項１２】
ドライブ線及び走査線の複数の交差位置に配置されかつ前記走査線及び前記ドライブ線間に接続された複数の容量性発光素子と、前記走査線を異なる第１又は第２電位のいずれか一方に接続自在とする走査スイッチ手段と、前記ドライブ線を前記第１又は第２電位又は駆動源のいずれかに接続自在とする駆動スイッチ手段と、前記駆動スイッチ手段及び前記走査スイッチ手段を制御する発光制御手段と、からなり、前記走査スイッチ手段が前記走査線を前記第１又は第２電位のいずれか低い方へ接続する走査期間に同期して前記駆動スイッチ手段が選択的に前記ドライブ線を駆動源に接続して、選択された容量性発光素子を発光せしめる容量性発光素子ディスプレイ装置であって、すべてのドライブ線のうち、今回の走査期間において前記駆動源への接続がなされない非接続維持ドライブ線を選択する判別手段を有し、前記発光制御手段は、前記走査期間の間にリセット期間を画定し、前記リセット期間において、すべての走査線を同一電位からなるリセット電位に接続すると共に、前記判別手段により選択された前記非接続維持ドライブ線をアース電位に接続し、他のドライブ線を前記リセット電位に接続することを特徴とする容量性発光素子ディスプレイ装置。
【請求項１３】
ドライブ線及び走査線の複数の交差位置に配置されかつ前記走査線及び前記ドライブ線間に接続された複数の容量性発光素子と、前記走査線を異なる第１又は第２電位のいずれか一方に接続自在とする走査スイッチ手段と、前記ドライブ線を前記第１又は第２電位又は駆動源のいずれかに接続自在とする駆動スイッチ手段と、前記駆動スイッチ手段及び前記走査スイッチ手段を制御する発光制御手段と、からなり、前記走査スイッチ手段が前記走査線を前記第１又は第２電位のいずれか低い方へ接続する走査期間に同期して前記駆動スイッチ手段が選択的に前記ドライブ線を駆動源に接続して、選択された容量性発光素子を発光せしめる容量性発光素子ディスプレイ装置であって、すべてのドライブ線のうち、前回及び今回の走査期間において前記駆動源への接続がなされない非接続維持ドライブ線を選択する判別手段を有し、前記発光制御手段は、前記走査期間の間にリセット期間を画定し、前記リセット期間において、すべての走査線を同一電位からなるリセット電位に接続すると共に、前記判別手段により選択された前記非接続維持ドライブ線をアース電位に接続し、他のドライブ線を前記リセット電位に接続することを特徴とする容量性発光素子ディスプレイ装置。
【請求項１４】
前記判別手段によるドライブ線の選択は、前記今回の走査期間の直前のリセット期間において行なわれることを特徴とする請求項１２又は１３に記載の容量性発光素子ディスプレイ装置。
【請求項１５】
前記第１又は第２電位は、一方がアース電位で他方が前記容量性発光素子の発光規定電圧から発光閾値電圧までの電位差よりも大なる電位であることを特徴とする請求項１２ないしは１４のいずれか一つに記載の容量性発光素子ディスプレイ装置。
【請求項１６】
前記第１及び第２電位は、一方がアース電位で他方が前記容量性発光素子の発光規定電圧と等しい電位であることを特徴とする請求項１２ないしは１４のいずれか一つに記載の容量性発光素子ディスプレイ装置。
【請求項１７】
前記リセット電位は、前記第１又は第２電位のいずれか高い方に等しいことを特徴とする請求項１２ないしは１６のいずれか一つに記載の容量性発光素子ディスプレイ装置。
【請求項１８】
前記発光制御手段は、前記走査期間において、前記選択された容量性発光素子が接続される走査線を前記アース電位に接続させると共に、他の走査線を前記容量性発光素子の発光規定電圧から発光閾値電圧までの電位差よりも大なる電位に接続させることを特徴とする請求項１５に記載の容量性発光素子ディスプレイ装置。
【請求項１９】
前記発光制御手段は、前記走査期間において、前記選択された容量性発光素子が接続される走査線を前記アース電位に接続させるとともに、他の走査線を前記容量性発光素子の発光規定電圧と等しい電位に接続させることを特徴とする請求項１６に記載の容量性発光素子ディスプレイ装置。
【請求項２０】
前記発光制御手段は、前記走査期間において、選択された容量性発光素子が接続されるドライブ線を除く他のドライブ線を、前記アース電位に接続させることを特徴とする請求項１５，１６，１８，１９のいずれか一つに記載の容量性発光素子ディスプレイ装置。
【請求項２１】
前記容量性発光素子はエレクトロルミネッセンス素子であることを特徴とする請求項１２ないしは２０のいずれか一つに記載の容量性発光素子ディスプレイ装置。
【請求項２２】
前記容量性発光素子は、平行に伸長した複数のドライブ線及び各々が前記ドライブ線に垂直で平行に伸長した複数の走査線の各交差位置に配置されかつ前記走査線及び前記ドライブ線に接続されたことを特徴とする請求項１２ないしは２１のいずれか一つに記載の容量性発光素子ディスプレイ装置。
【発明の詳細な説明】
【０００１】
【発明の属する技術分野】
本発明は、画像表示パネルの駆動方法及び駆動装置に関し、特に有機エレクトロルミネセンス素子等の容量性発光素子ディスプレイの駆動方法及び駆動装置に関する。
【０００２】
【従来の技術】
低消費電力及び高表示品質並びに薄型化が可能なディスプレイとして、有機エレクトロルミネッセンス素子の複数をマトリクス状に配列して構成されるエレクトロルミネッセンスディスプレイが注目されている。該有機エレクトロルミネッセンス素子は、図１に示すように、透明電極１０１が形成されたガラス板などの透明基板１００上に、電子輸送層、発光層、正孔輸送層などからなる少なくとも１層の有機機能層１０２、及び金属電極１０３が積層されたものである。透明電極１０１の陽極にプラス、金属電極１０３の陰極にマイナスの電圧を加え、すなわち、透明電極及び金属電極間に直流を印加することにより、有機機能層１０２が発光する。良好な発光特性を期待することのできる有機化合物を有機機能層に使用することによって、エレクトロルミネッセンスディスプレイが実用に耐えうるものになっている。
【０００３】
有機エレクトロルミネッセンス素子（以下、単に素子ともいう）は、電気的には、図２のような等価回路にて表すことができる。図から分かるように、素子は、容量成分Ｃと、該容量成分に並列に結合するダイオード特性の成分Ｅとによる構成に置き換えることができる。よって、有機エレクトロルミネッセンス素子は、容量性の発光素子であると考えられる。有機エレクトロルミネッセンス素子は、直流の発光駆動電圧が電極間に印加されると、電荷が容量成分Ｃに蓄積され、続いて当該素子固有の障壁電圧または発光閾値電圧を越えると、電極（ダイオード成分Ｅの陽極側）から発光層を担う有機機能層に電流が流れ初め、この電流に比例した強度で発光する。
【０００４】
かかる素子の電圧Ｖ−電流Ｉ−輝度Ｌの特性は、図３に示すように、ダイオードの特性に類似しており、発光閾値Ｖth以下の電圧では電流Ｉはきわめて小さく、発光閾値Ｖth以上の電圧になると電流Ｉは急激に増加する。また、電流Ｉと輝度Ｌはほぼ比例する。このような素子は、発光閾値Ｖthを超える駆動電圧を素子に印加すれば当該駆動電圧に応じた電流に比例した発光輝度を呈し、印加される駆動電圧が発光閾値Ｖth以下であれば駆動電流が流れず発光輝度もゼロに等しいままである。
【０００５】
かかる有機エレクトロルミネッセンス素子の複数を用いた表示パネルの駆動方法としては、単純マトリクス駆動方式が適用可能である。図４に単純マトリクス表示パネルの一例の構造を示す。n個の陰極線（金属電極）Ｂ1 〜Ｂnを横方向に、m個の陽極線（透明電極）Ａ1 〜Ａmを縦方向に平行に伸長して設けられ、各々の交差した部分（計n×m個）に有機エレクトロルミネッセンス素子Ｅ1,1 〜Ｅm,n の発光層を挟む。画素を担う素子Ｅ1,1 〜Ｅm,n は、格子状に配列され、垂直方向に沿う陽極線Ａ1 〜Ａm と水平方向に沿う陰極線Ｂ1 〜Ｂn との交差位置に対応して一端（上記の等価回路のダイオード成分Ｅの陽極線側）が陽極線に、他端（上記の等価回路のダイオード成分Ｅの陰極線側）が陰極線に接続される。陰極線は陰極線走査回路１に接続されて駆動、陽極線は陽極線ドライブ回路２に接続されてそれぞれ駆動される。
【０００６】
陰極線走査回路１は、各陰極線の電位を個々に定める陰極線Ｂ1 〜Ｂnに対応する走査スイッチ５1 〜５nを有し、個々が、電源電圧からなる逆バイアス電圧ＶCC （例えば１０Ｖ）及びアース電位（０Ｖ）のうちのいずれか一方を、対応する陰極線に接続する。
陽極線ドライブ回路２は、各陽極線を通じて駆動電流を素子個々に供給する陰極線Ａ1〜Ａmに対応した電流源２1〜２m（例えば定電流源）及びドライブスイッチ６1〜６mを有し、ドライブスイッチが電流を個々に陽極線に流すオンオフ制御するように構成される。駆動源は定電圧源などの電圧源を用いることも可能であるが、上述した電流−輝度特性が温度変化に対して安定しているのに対し電圧−輝度特性が温度変化に対して不安定であること、等の理由により、電流源を用いるのが一般的である。電流源２1〜２mの供給電流量は、素子が所望の瞬時輝度で発光する状態（以下、この状態を定常発光状態と称する。）を維持するために必要な電流量とされる。また、素子が定常発光状態にある時は、上述した素子の容量成分Ｃに所定の電荷が充電されているため、素子の両端電圧は既定値Ｖｅ（以下、これを発光規定電圧と称する。）となる。
【０００７】
陽極線はまた、陽極線リセット回路３に接続される。この陽極線リセット回路３は、陽極線毎に設けられたシャントスイッチ７1 〜７m を有し、該シャントスイッチが選択されることによって陽極線をアース電位に設定する。
陰極線走査回路１、陽極線ドライブ回路２及び陽極線リセット回路３は発光制御回路４に接続される。
【０００８】
発光制御回路４は、図示せぬ画像データ発生系から供給された画像データに応じて当該画像データが担う画像を表示させるべく陰極線走査回路１、陽極線ドライブ回路２及び陽極線リセット回路３を制御する。発光制御回路４は、陰極線走査回路１に対して、走査線選択制御信号を発生し、画像データの水平走査期間に対応する陰極線のいずれかを選択してアース電位に設定し、その他の陰極線は逆バイアス電圧ＶCC が印加されるように走査スイッチ５1 〜５n を切り換える制御を行う。逆バイアス電圧ＶCCは、ドライブされている陽極線と走査選択がされていない陰極線との交点に接続された素子がクロストーク発光することを防止するために、陰極線に接続される定電圧源によって印加されるものであり、逆バイアス電圧ＶCC＝発光規定電圧Ｖｅと設定されるのが一般的である。走査スイッチ５1 〜５n が水平走査期間毎に順次アース電位に切り換えられるので、アース電位に設定された陰極線は、その陰極線に接続された素子を発光可能とする走査線として機能することとなる。
【０００９】
陽極線ドライブ回路２は、かかる走査線に対して発光制御を行う。発光制御回路４は、画像データが示す画素情報に従って当該走査線に接続されている素子のどれをどのタイミングでどの程度の時間に亘って発光させるかについてを示すドライブ制御信号（駆動パルス）を発生し、陽極線ドライブ回路２に供給する。陽極線ドライブ回路２は、このドライブ制御信号に応じて、ドライブスイッチ６1 〜６m のいくつかをオンオフ制御し、陽極線Ａ1 〜Ａm を通じて画素情報に応じた該当素子への駆動電流の供給をなす。これにより、駆動電流の供給された素子は、当該画素情報に応じた発光をなすこととなる。
【００１０】
陽極線リセット回路３のリセット動作は、発光制御回路４からのリセット制御信号に応じて行われる。陽極線リセット回路３は、リセット制御信号が示すリセット対象の陽極線に対応するシャントスイッチ７1 〜７m のいずれかをオンしそれ以外はオフとする。
本願と同一の出願人による特開平９−２３２０７４号公報には、単純マトリクス表示パネルにおける、走査線を切り換える直前に格子状に配された各素子の蓄積電荷を放出させるリセット動作を行う駆動法（以下、リセット駆動法と呼ぶ）が開示されている。このリセット駆動法は、走査線を切り換えた際の素子の発光立上りを早めるものである。
【００１１】
この単純マトリクス表示パネルのリセット駆動法について図４〜図６を参照して説明する。
なお、以下に述べる図４〜図６に示す動作は、陰極線Ｂ1 を走査して素子Ｅ1,1及びＥ2,1を光らせた後、陰極線Ｂ2 に走査を移して素子Ｅ2,2 及びＥ3,2 を光らせる場合を例に挙げたものである。また、説明を分かり易くするために、光っている素子はダイオード記号にて示され、光っていない発光素子はコンデンサ記号にて示される。また、陰極線Ｂ1 〜Ｂn に印加される逆バイアス電圧ＶCC は、発光規定電圧と同じ１０Ｖとされている。
【００１２】
先ず、図４においては、走査スイッチ５1のみが０Ｖのアース電位側に切り換えられ、陰極線Ｂ1 が走査されている。他の陰極線Ｂ2 〜Ｂn には、走査スイッチ５2 〜５n により逆バイアス電圧ＶCCが印加されている。同時に、陽極線Ａ1 及びＡ2 には、ドライブスイッチ６1 及び６2 によって電流源２1 及び２2 が接続されている。また、他の陽極線Ａ3 〜Ａm には、シャントスイッチ７3 〜７m によって０Ｖのアース電位側に切り換えらている。したがって、図４の場合、素子Ｅ1,1 とＥ2,1 のみが順方向にバイアスされ、電流源２1 及び２2 から矢印のように駆動電流が流れ込み、素子Ｅ1,1 及びＥ2,1 のみが発光することとなる。この状態においては、非発光のハッチングして示される素子Ｅ3,2〜Ｅ3,n…Ｅm,2〜Ｅm,nは、それぞれ図示の如き極性に充電されることとなる。
【００１３】
この図４の定常発光状態から、次の素子Ｅ2,2 及びＥ3,2 の発光をなす状態に走査を移行する直前に、以下のようなリセット制御が行われる。すなわち、図５に示すように全てのドライブスイッチ６1 〜６m と全ての走査スイッチ５1 〜５n を逆バイアス電圧ＶCC側に切り換えるとともに、全てのシャントスイッチ７1 〜７m を開放し、陽極線Ａ1 〜Ａm と陰極線Ｂ1 〜Ｂn の全てを一旦電圧ＶCCの同一リセット電圧とし、オールリセットを掛ける。このオールリセットが行われると、陽極線と陰極線の全てがＶCCの同電位となるので、各素子に充電されていた電荷は図中の矢印で示すようなルートを通って放電し、全ての素子の充電電荷が瞬時のうちに無くなる。
【００１４】
このようにして全ての素子の充電電荷をゼロにした後、今度は図６に示すように、陰極線Ｂ2 に対応する走査スイッチ５2 のみを０Ｖ側に切り換え、陰極線Ｂ2 の走査を行う。これと同時に、ドライブスイッチ６2 及び６3 を閉じて電流源２2 及び２3 を対応の陽極線に接続せしめるとともに、シャントスイッチ７1 ，７4 〜７m をオンとし、陽極線Ａ1 ，Ａ4 〜Ａm に０Ｖを与える。
【００１５】
このように、上記リセット駆動法の発光制御は、陰極線Ｂ1 〜Ｂn のうちのいずれかをアクティブにする期間である走査モードと、これに後続するリセットモードとの繰り返しである。かかる走査モードとリセットモードは、画像データの１水平走査期間（１Ｈ）毎に行われる。仮にリセット制御をせずに、図４の状態から図６の状態に直接移行したとすると、例えば、電流源２3から供給される駆動電流は、素子Ｅ3,2に流れ込むだけではなく、素子Ｅ3,3〜Ｅ3,nに充電された逆方向電荷（図４に図示）のキャンセルにも費やされるため、素子Ｅ3,2を定常発光状態にする（素子Ｅ3,2の両端電圧を発光規定電圧Ｖｅにする）には時間を要することとなる。しかし、上述したリセット制御を行なうと、陰極線Ｂ2の走査に切り換わった瞬間において、陽極線Ａ2及びＡ3の電位は約ＶCCとなるため、次に発光させるべき素子Ｅ2,2及びＥ3,2には、電流源２2及び２3だけではなく陰極線Ｂ1、Ｂ3〜Ｂnに接続された定電圧源からの複数のルートからも充電電流が流れ込み、この充電電流によって発光規定電圧Ｖｅまで瞬時に達し定常発光状態に瞬時に移行できる。
【００１６】
以上述べたように、従来のリセット駆動法によれば、次の走査線の発光制御に移行する前に、陰極線と陽極線の全てが一旦アース電位である０Ｖ又は逆バイアス電圧ＶCC 電位の同電位に接続されてリセットされるので、次の走査線に切り換えられた際に、発光閾値までの充電を速くし、切り換えられた走査線上の発光すべき素子の発光の立ち上がりを早くすることができる。
【００１７】
【発明が解決しようとする課題】
しかし、かかるリセット駆動法を実行する単純マトリクス表示パネルにおいて、発光する素子の並列容量成分に充電された電荷を各走査の開始前にオールリセットにより放電するので、特に、表示点灯率の低い画像表示において、無駄な消費電力があるという欠点がある。図４〜図６に示す陰極線Ｂ1からＢ2への走査の切り換わりの際に、陽極線Ａmに接続された素子Ｅm,1及びＥm,2が非発光である場合に着目して、これら素子の損失電力を、図７を参照して説明する。すなわち、図７(a)に示すように、陰極線Ｂ1の第１走査中に素子Ｅm,1 は陰極線Ｂ1及び陽極線Ａmが共にアース電位で充電されないが、素子Ｅm,2 〜Ｅm,n は逆バイアス電圧ＶCC で逆方向にバイアスされ、陰極線Ｂ2 〜Ｂnからそれらの並列容量成分が逆方向に電荷ｅで充電される。陽極線Ａmにおける非発光の素子の合計電荷は（ｎ−１）ｅとなる。次に、図７(b)に示すようにＶCCオールリセットにより陽極線Ａm並びに陰極線Ｂ2 〜Ｂnから全電荷（ｎ−１）ｅは放電され、素子の電荷はゼロとなる。次の陰極線Ｂ2の第２走査中、図７(c)に示すように陽極線Ａmの非発光素子Ｅm,1 並びにＥm,2 〜Ｅm,n 2,の並列容量成分には、また全電荷（ｎ−１）ｅで充電される。このように、非発光素子に注目すると、リセットの度に電荷の無駄な放電がある。すなわち、第１及び第２走査の間にリセットされて、陽極線Ａ2の素子Ｅ2,1 及びＥ2,2 のように同一陽極線上の素子がオフ−オフとなる場合に、電荷２（ｎ−１）ｅの無駄な消費電力がある。表示パネルの複数の素子における並列容量の充電及び放電による損失電力は、単位面積当たりの並列容量、表示パネルの実効面積に比例して大きくなるので、これを少なくすべきである。
【００１８】
本発明は、上述した点に鑑みてなされたものであり、その目的は、消費電力を増大させることなく発光立ち上がりが早い容量性発光素子ディスプレイ装置を提供することにある。
【００１９】
【課題を解決するための手段】
本発明の方法は、ドライブ線及び走査線の複数の交差位置に配置されかつ前記走査線及び前記ドライブ線間に接続された複数の容量性発光素子と、前記走査線を異なる第１又は第２電位のいずれか一方に接続自在とする走査スイッチ手段と、前記ドライブ線を前記第１又は第２電位又は駆動源のいずれかに接続自在とする駆動スイッチ手段と、前記駆動スイッチ手段及び前記走査スイッチ素子を制御する発光制御手段と、からなり、前記走査スイッチ手段が前記走査線を前記第１又は第２電位のいずれか低い方へ接続する走査期間に同期して前記駆動スイッチ手段が選択的に前記ドライブ線を駆動源に接続して、選択された容量性発光素子を発光せしめる容量性発光素子ディスプレイ装置の駆動方法であって、前記走査期間の間にリセット期間を設け、前記リセット期間において、すべてのドライブ線のうち、今回の走査期間において前記駆動源への接続がなされない非接続ドライブ線を選択し、前記リセット期間において、すべての走査線を同一電位からなるリセット電位に接続すると共に、選択された前記非接続ドライブ線をアース電位に接続し、他のドライブ線を前記リセット電位に接続することを特徴とする。
【００２０】
さらに、本発明の他の容量性発光素子ディスプレイ装置の駆動方法は、ドライブ線及び走査線の複数の交差位置に配置されかつ前記走査線及び前記ドライブ線間に接続された複数の容量性発光素子と、前記走査線を異なる第１又は第２電位のいずれか一方に接続自在とする走査スイッチ手段と、前記ドライブ線を前記第１又は第２電位又は駆動源のいずれかに接続自在とする駆動スイッチ手段と、前記駆動スイッチ手段及び前記走査スイッチ手段を制御する発光制御手段と、からなり、前記走査スイッチ手段が前記走査線を前記第１又は第２電位のいずれか低い方へ接続する走査期間に同期して前記駆動スイッチ手段が選択的に前記ドライブ線を駆動源に接続して、選択された容量性発光素子を発光せしめる容量性発光素子ディスプレイ装置の駆動方法であって、前記走査期間の間にリセット期間を設け、前記リセット期間において、すべてのドライブ線のうち、前回及び今回の走査期間において前記駆動源への接続がなされない非接続維持ドライブ線を選択し、前記リセット期間において、すべての走査線を同一電位からなるリセット電位に接続すると共に、選択された前記非接続維持ドライブ線をアース電位に接続し、他のドライブ線を前記リセット電位に接続することを特徴とする。
【００２１】
上記容量性発光素子ディスプレイ装置の駆動方法において、前記非接続ドライブ線または前記非接続維持ドライブ線の選択は、前記今回の走査期間の直前のリセット期間において行なわれることを特徴とする。
上記容量性発光素子ディスプレイ装置の駆動方法において、前記第1及び第2電位は、一方がアース電位で他方が前記容量性発光素子の発光規定電圧から発光閾値電圧までの電位差よりも大なる電位であることを特徴とする。
【００２２】
上記容量性発光素子ディスプレイ装置の駆動方法において、前記第1及び第2電位は、一方がアース電位で他方が前記容量性発光素子の発光規定電圧と略等しい電位であることを特徴とする。
上記容量性発光素子ディスプレイ装置の駆動方法において、前記リセット電位は、前記第１又は第２電位のいずれか高い方に等しいことを特徴とする。
【００２３】
上記容量性発光素子ディスプレイ装置の駆動方法において、前記走査期間において、前記選択された容量性発光素子が接続される走査線は、前記アース電位に接続されると共に、他の走査線は、前記容量性発光素子の発光規定電圧から発光閾値電圧までの電位差よりも大なる電位に接続されることを特徴とする。
上記容量性発光素子ディスプレイ装置の駆動方法において、前記走査期間において、前記選択された容量性発光素子が接続される走査線は、前記アース電位に接続されると共に、他の走査線は、前記容量性発光素子の発光規定電圧と略等しい電位に接続されることを特徴とする。
【００２４】
上記容量性発光素子ディスプレイ装置の駆動方法において、前記走査期間において、選択された容量性発光素子が接続されるドライブ線を除く他のドライブ線はアース電位に接続されることを特徴とする。
上記容量性発光素子ディスプレイ装置の駆動方法において、前記容量性発光素子はエレクトロルミネッセンス素子であることを特徴とする。
【００２５】
上記容量性発光素子ディスプレイ装置の駆動方法において、前記容量性発光素子は、略平行に伸長した複数のドライブ線及び各々が前記ドライブ線に略垂直で略平行に伸長した複数の走査線の各交差位置に配置されかつ前記走査線及び前記ドライブ線に接続されたことを特徴とする。
さらにまた、本発明の容量性発光素子ディスプレイ装置は、ドライブ線及び走査線の複数の交差位置に配置されかつ前記走査線及び前記ドライブ線間に接続された複数の容量性発光素子と、前記走査線を異なる第１又は第２電位のいずれか一方に接続自在とする走査スイッチ手段と、前記ドライブ線を前記第１又は第２電位又は駆動源のいずれかに接続自在とする駆動スイッチ手段と、前記駆動スイッチ手段及び前記走査スイッチ手段を制御する発光制御手段と、からなり、前記走査スイッチ手段が前記走査線を前記第１又は第２電位のいずれか低い方へ接続する走査期間に同期して前記駆動スイッチ手段が選択的に前記ドライブ線を駆動源に接続して、選択された容量性発光素子を発光せしめる容量性発光素子ディスプレイ装置であって、すべてのドライブ線のうち、今回の走査期間において前記駆動源への接続がなされない非接続維持ドライブ線を選択する判別手段を有し、前記発光制御手段は、前記走査期間の間にリセット期間を画定し、前記リセット期間において、すべての走査線を同一電位からなるリセット電位に接続すると共に、前記判別手段により選択された前記非接続維持ドライブ線をアース電位に接続し、他のドライブ線を前記リセット電位に接続することを特徴とする。
【００２６】
また、本発明の他の容量性発光素子ディスプレイ装置は、ドライブ線及び走査線の複数の交差位置に配置されかつ前記走査線及び前記ドライブ線間に接続された複数の容量性発光素子と、前記走査線を異なる第１又は第２電位のいずれか一方に接続自在とする走査スイッチ手段と、前記ドライブ線を前記第１又は第２電位又は駆動源のいずれかに接続自在とする駆動スイッチ手段と、前記駆動スイッチ手段及び前記走査スイッチ手段を制御する発光制御手段と、からなり、前記走査スイッチ手段が前記走査線を前記第１又は第２電位のいずれか低い方へ接続する走査期間に同期して前記駆動スイッチ手段が選択的に前記ドライブ線を駆動源に接続して、選択された容量性発光素子を発光せしめる容量性発光素子ディスプレイ装置であって、すべてのドライブ線のうち、前回及び今回の走査期間において前記駆動源への接続がなされない非接続維持ドライブ線を選択する判別手段を有し、前記発光制御手段は、前記走査期間の間にリセット期間を画定し、前記リセット期間において、すべての走査線を同一電位からなるリセット電位に接続すると共に、前記判別手段により選択された前記非接続維持ドライブ線をアース電位に接続し、他のドライブ線を前記リセット電位に接続することを特徴とする。
【００２７】
本発明によれば、いわゆるリセット駆動方法において、リセット期間においてすべてのドライブ線の電位を同一に設定するのではなく、前回及び今回の走査期間において駆動源への接続がなされないドライブ線、又は、今回の走査期間において駆動源への接続がなされないドライブ線を選択する判別をなし、選択されないドライブ線をリセット電位に接続すると共に、選択したドライブ線をリセット電位ではなくアース電位に接続することによって、当該ドライブ線のすべての素子の容量成分の残留電荷を放電することなく保持でき、さらに今回の非発光素子の接続されたドライブ線への発光に寄与しない電荷の充電を回避することができる。よって、消費電力を増大させることなく発光立上りの早い容量性発光素子ディスプレイ装置を提供することができる。
【００２８】
【発明の実施の形態】
以下、本発明の実施の形態を図面に基づいて詳細に説明する。
図８は、容量性発光素子の有機エレクトロルミネッセンス素子を用いた本発明の一実施例によるディスプレイ装置の概略的な構成を示す。ディスプレイ装置は、容量性発光パネル１２０と発光制御部４０とを有する。発光パネル１２０は、上記したようなドライブ線の陽極線Ａ1 〜Ａm及び走査線の陰極線Ｂ1 〜Ｂnの複数の交差位置にマトリクス状に配置されかつ走査線及びドライブ線間に接続された複数の有機エレクトロルミネッセンス素子Ｅi,j（１≦ｉ≦ｍ，１≦ｊ≦n）からなる。すなわち、有機エレクトロルミネッセンス素子は、略平行に伸長した複数のドライブ線及び各々がドライブ線に略垂直で略平行に伸長した複数の走査線の各交差位置に配置されかつ走査線及びドライブ線に接続されている。発光パネル１２０は、走査線を各々異なる電位のアース電位逆バイアス電位ＶCC（これがリセット電位とされる）のいずれか一方に接続自在とする走査スイッチ手段である陰極線走査回路１と、ドライブ線をアース電位及びリセット電位（＝逆バイアス電位ＶCC）及び駆動源に接続自在とする駆動スイッチ手段である陽極線ドライブ回路２と、を含む。
【００２９】
図１０に示すように、陰極線走査回路１は、陰極線Ｂ1 〜Ｂnに対応する走査スイッチ５1 〜５nを有し、個々が、電源電圧からなる逆バイアス電圧ＶCC （例えば１０Ｖ）及びアース電位（０Ｖ）のうちのいずれか一方を、対応する陰極線に接続する。陽極線ドライブ回路２は、陽極線Ａ1 〜Ａmに対応した電流源２1 〜２m、リセット電位及びアース電位に切り替える３点切換のドライブスイッチ６1 〜６mを有し、ドライブスイッチが電流を個々に陽極線に流すオンオフ制御する。したがって、選択されていない素子が誤発光しないように、逆バイアス電圧ＶCCは、発光規定電圧Ｖｅ−発光閾値電圧Ｖｔｈよりも大きくしなければならず、上述したように、逆バイアス電圧ＶCC＝発光規定電圧Ｖｅとするのが一般的である。
【００３０】
走査スイッチにより陰極線Ｂ1 〜Ｂn は、水平走査期間毎に順次アース電位に切り換えられ、それ以外は逆バイアス電圧ＶCCに切り換えられる、いわゆる線順次走査に従った切換制御を行う。また、線順次走査の代わりに、陰極線走査回路１はインターレース走査で制御されてもよい。陽極線ドライブ回路２のドライブスイッチを介して陽極線Ａ1 〜Ａmに画像データが供給される。従って、陰極線はこれに接続された素子を発光可能とする走査線として、陽極線はこれに接続された素子を発光させるドライブ線として機能する。
【００３１】
発光制御部４０は陰極線走査回路１及び陽極線ドライブ回路２に接続され、これらを制御する発光制御手段である。発光制御部４０は、陰極線走査回路１がいずれかの走査線をアース電位へ周期的に接続する走査期間に同期して陽極線ドライブ回路２が選択的にドライブ線を駆動源へ接続して、選択された素子を発光せしめる。
【００３２】
発光制御部４０内において、同期分離回路４１は、供給された入力ビデオ信号中から水平及び垂直同期信号を抽出してこれらをタイミングパルス発生回路４２に供給する。タイミングパルス発生回路４２は、これら抽出された水平及び垂直同期信号に基づいた同期信号タイミングパルスを発生してこれをＡ／Ｄ変換器４３、制御回路４５及び走査タイミング信号発生回路４７の各々に供給する。Ａ／Ｄ変換器４３は、上記同期信号タイミングパルスに同期して入力ビデオ信号を１画素毎に対応したディジタル画素データに変換し、これをメモリ４４に供給する。制御回路４５は、後述する駆動方法に基づいて上記同期信号タイミングパルスに同期した書込信号及び読出信号をメモリ４４に供給する。メモリ４４は、書込信号に応じて、Ａ／Ｄ変換器４３から供給された各画素データを順次取り込む。また、メモリ４４は、読出信号に応じて、このメモリ４４内に記憶されている画素データを順次読み出して次段の出力処理回路４６へ供給する。走査タイミング信号発生回路４７は、走査スイッチ及びドライブスイッチを制御するための各種タイミング信号を発生してこれらを陰極線走査回路１及び出力処理回路４６の各々に供給する。出力処理回路４６は、走査タイミング信号発生回路４７からのタイミング信号に同期させて、メモリ４４から供給された画素データを陽極線ドライブ回路２に供給する。
【００３３】
第１の態様として、発光制御回路４０における容量性発光パネルの駆動方法を以下に図９に基づいて説明する。
まず、制御回路４５はメモリ４４に１水平走査期間（１Ｈ）を示すＨ同期パルスが到来したか否かを判断する（ステップ１）。
次に、制御回路４５は今回１水平走査期間（第ｊ走査）分の画像データをメモリ４４から取り込み記憶する（ステップ２）。
次に、制御回路４５は前回走査時（第ｊ−１走査）に記憶した前回１水平走査期間分の画像データと今回１水平走査期間（第ｊ走査）分とを比較して、前回走査時（第ｊ−１走査）において接続された素子が非発光であり、今回走査期間（第ｊ走査）においても接続された素子が非発光となるドライブ線ｉの有無を判断する（ステップ３）。
【００３４】
次に、接続された素子が前回走査時（第ｊ−１走査）及び今回走査期間（第ｊ走査）のいずれにおいても非発光であるドライブ線ｉが有り、と判断されれば、制御回路４５は今回の第ｊ水平走査分の画像データをメモリ４４へ返し、出力処理回路４６を介して、陽極線ドライブ回路２のドライブスイッチを制御し、ドライブ線ｉをアース電位に接続するとともにドライブ線ｉを除くドライブ線をリセット電位側にオン状態とする。これによって、ドライブ線iを除くドライブ線及び全ての走査線を同一リセット電位にリセット時間だけ接触させ、ドライブ線ｉをアース電位にリセット時間だけ接触させる（ステップ４）。
【００３５】
一方、ステップ３において、接続された素子が前回走査時（第ｊ−１走査）及び今回走査期間（第ｊ走査）のいずれにおいても非発光であるドライブ線ｉが無し、と判断されれば、全ての走査線及びドライブ線を同一リセット電位にリセット時間だけ接触させる（ステップ５）。
次に、以上のリセットモードの終了後、今回１水平走査期間（第ｊ走査）分の画素データに応じて、第ｊ走査線に交差するドライブ線への所定電流が供給される（ステップ６）。
【００３６】
さらに、第２の態様として、発光制御回路４０における容量性発光パネルの駆動方法を以下に図１０に基づいて説明する。
まず、図１０に示すように、制御回路４５はステップ１〜２までは上記第１の態様と同様にステップ１〜２を実行する。
次に、制御回路４５は、今回走査期間（第ｊ走査）において接続された素子が非発光となるドライブ線ｉの有無を判断する（ステップ３）。
【００３７】
次に、今回走査期間（第ｊ走査）において接続された素子が非発光となるドライブ線ｉが有りと判断されれば、制御回路４５は、出力処理回路４６を介して、陽極線ドライブ回路２のドライブスイッチを制御し、ドライブ線ｉをアース電位に接触するとともにドライブ線ｉを除くドライブ線をリセット電位側にオン状態とする（ステップ４）。
【００３８】
一方、ステップ３において、今回走査期間（第ｊ走査）において接続された素子が非発光となるドライブ線ｉが無し、と判断されれば、全ての走査線及びドライブ線を同一リセット電位にリセット時間だけ接触させ（ステップ５）、リセットモードの終了後、今回１水平走査期間（第ｊ走査）分の画素データに応じて、第ｊ走査線に交差するドライブ線への所定電流が供給される（ステップ６）。
【００３９】
単純マトリクス表示パネルのリセット駆動法の上記第１の態様の実施例である、本発明の第１の実施例を、図１１〜図１３を参照して説明する。なお、以下の動作は、上記従来例と同じ表記方法で、同様に、陰極線Ｂ1 の第１走査（前回走査）にて素子Ｅ1,1及びＥ2,1を光らせた後、陰極線Ｂ2の第２走査（今回走査）にて素子Ｅ2,2 及びＥ3,2 を光らせる場合を例に挙げたものである。また、陰極線Ｂ1 〜Ｂn に印加される逆バイアス電圧ＶCC は、素子の発光規定電圧Ｖｅと同じとする。また、リセット電位はアース電位とする。
【００４０】
先ず、図１１においては、第１走査期間において、走査スイッチ５1のみがアース電位側に切り換えられ、陰極線Ｂ1 が走査され、他の陰極線Ｂ2 〜Ｂn には、走査スイッチ５2 〜５n により逆バイアス電圧ＶCCが印加されている。同時に、陽極線Ａ1 及びＡ2 には、ドライブスイッチ６1 及び６2 によって電流源２1 及び２2 が接続され、他の陽極線Ａ3 〜Ａm はスイッチ６3 〜６m によってアース電位側に切り換えられている。したがって、素子Ｅ1,1 及びＥ2,1 のみが発光すると同時に、図示するように、素子Ｅ3,2〜Ｅ3,n…Ｅm,2〜Ｅm,nには逆方向に電荷ｅがそれぞれ充電される。
【００４１】
次に、リセット期間において図９に示す駆動方法を通して発光制御回路４０が第１走査期間及び第２走査期間において発光させるべき素子がないドライブ線の陽極線Ａ4〜Ａmを選択しているので、図１２に示すように、ドライブスイッチ６4〜６mをアース電位側に切り換え、ドライブスイッチ６1 、６2 及び６3を逆バイアス電位側に切り換えるとともに、全ての走査スイッチ５1 〜５n を逆バイアス電位側に切り換える。このリセットが行われると、素子Ｅ1,1及びＥ2,1に充電されていた順方向電荷と素子Ｅ3,2〜Ｅ3,nに充填されていた逆方向電荷がすべて放電されるとともに、素子Ｅ4,1…Ｅm,1には、図中矢印に示すルートから逆方向の電荷ｅが充電される。また素子Ｅ4,2〜Ｅ4,n…Ｅm,2〜Ｅm,nは充放電されず逆方向の電荷ｅを保持する状態を維持する。
【００４２】
この後、第２走査期間においては、図１３に示すように、陰極線Ｂ2 の走査スイッチ５2 のみをアース電位側にかつ他を逆バイアス電位に切り換えて陰極線Ｂ2 の走査を行うと同時に、ドライブスイッチ６2 及び６3 を電流源２2 及び２3 側にかつ他をアース電位側に切り換える。これにより、発光させるべき素子Ｅ2,2及びＥ3,2には、従来（図６に図示）と同様に、電流源２2及び２3だけではなく陰極線Ｂ1、Ｂ3〜Ｂnに接続された定電圧源からの複数のルートからも充電電流が流れ込み、この充電電流によって定常発光状態に瞬時に移行できる。また、陽極線Ａ1上の素子Ｅ1,1、Ｅ1,3〜Ｅ1,nも、従来（図６に図示）と同様に、逆バイアス電圧ＶCCの定電圧源から電流が流れ込み逆方向の電荷ｅが充電される。一方、各陽極線Ａ4…Ａmの素子Ｅ4,1、Ｅ4,3〜Ｅ4,n…Ｅm,1、Ｅm,3〜Ｅm,nは、充放電されず、逆方向の電荷ｅを保持する状態を維持する。Ｅ4,2…Ｅm,2に保持されていた電荷は放電する。なお、発光させるべき素子Ｅ2,2 及びＥ3,2 以外の他の素子についても、図中に矢印で示したようなルートでそれぞれ充電が行われるが、これらの充電方向は逆バイアス方向であるので、素子Ｅ2,2 及びＥ3,2 以外の他の素子が誤発光することはない。
【００４３】
以上の走査の切換え動作における消費電荷について、上述した従来例（図４〜図６）と比較すると、素子Ｅ4,1〜Ｅ4,n…Ｅm,1〜Ｅm,nに対するリセット時の放電電荷量と走査切換え時の充電電荷量が大幅に低減しており、発光に寄与しない素子の容量成分の充放電電荷の浪費が大幅に節約されている。
次に第２の態様における実施例である、本発明の第２の実施例のリセット駆動法を図１４〜図１６に示す。この実施例はリセット電位をアース電位とするものであり、発光パネル１２０の構成については図１１〜図１３と同一である。
【００４４】
図１４に示す第１走査モードは、図１１に示すものと同一であるので、説明は省略するが、リセット期間においては、図１０に示す駆動方法を通して、発光制御回路４０が第２走査期間の際に発光させるべき素子がないドライブ線である陽極線Ａ1、Ａ4〜Ａmを選択しているので、図１５に示すように、ドライブスイッチ６1，６4〜６mをアース電位側に切り換え、ドライブスイッチ６2及び６3を逆バイアス電位ＶCCの側に切り換えるとともに、すべての走査スイッチ５1〜５nを逆バイアス電位ＶCCの側に切り換える。
【００４５】
このリセットが行なわれると、素子Ｅ2,1に充電されていた順方向電荷と素子Ｅ3,2〜Ｅ3,nに充電されていた逆方向電荷がすべて放電され、陽極線Ａ1に接続される全ての素子Ｅ1,1〜Ｅ1,nと、素子Ｅ4,1…Ｅm,1には逆方向の電荷ｅが充電される。また、素子Ｅ4,2〜Ｅ4,n…Ｅm,2〜Ｅm,2は充放電されず逆方向の電荷ｅを保持する状態を維持する。
【００４６】
この後、図１６に示すように、第２走査期間においては、図１２と同様に、陰極線Ｂ2の走査スイッチ５2のみをアース電位側にかつ他をバイアス電位に切り換えて陰極線Ｂ2の走査を行うと同時に、ドライブスイッチ６2及び６3を電流源２2及び２3側にかつ他をアース電位側に切り換える。
これにより、発光させるべき素子Ｅ2,2及びＥ3,2には、従来（図６に図示）と同様に、電流源２2及び２3だけではなく陰極線Ｂ1、Ｂ3〜Ｂnに接続された定電圧源からの複数のルートからも充電電流が流れ込み、この充電電流によって定常発光状態に瞬時に移行できる。一方、陽極線Ａ1上の素子Ｅ1,1、Ｅ1,3〜Ｅ1,nは充放電が成されず、逆方向の電荷を保持する状態を維持する。同様に、各陽極線Ａ4…Ａmの素子Ｅ4,1、Ｅ4,3〜Ｅ4,n…Ｅm,1、Ｅm,3〜Ｅm,nも充放電がなされず、逆方向の電荷を保持する状態を維持する。
【００４７】
以上の走査の切換え動作における消費電荷について、上述した従来例（図４〜図６）と比較すると、素子Ｅ4,1〜Ｅ4,n…Ｅm,1〜Ｅm,nに対するリセット時の放電電荷量と走査切換え時の充電電荷量が大幅に低減しており、発光に寄与しない素子の容量成分の充放電電荷の浪費が大幅に節約されている。また、上述した第１の態様と比較すると、リセット時にアース電位に接続する陽極線の判別が、今回１水平走査期間（第ｊ走査）画像データのみに基づいて行なわれるため、判別にかかる工程及び手段をより簡素にすることができる。
【００４８】
なお、上述した第２の態様においても、リセット電位を逆バイアス電圧ＶCCと同電位に設定することが可能である。また、陰極線を横方向に、陽極線を縦方向に設けたが、陽極線を横方向に、陰極線を縦方向に設けてもよい。さらにまた、横方向に設けた電極で走査し、縦方向に設けた電極で輝度を制御したが、縦方向に設けた電極で走査し、横方向に設けた電極で輝度を制御してもよい。ただし、陽極線で走査する場合は、陽極線及び陰極線の駆動電源は上記の説明とは逆極性とする。
【００４９】
【発明の効果】
以上詳述したように、本発明によれば、ドライブ線及び走査線の複数の交差位置に配置されかつ前記走査線及び前記ドライブ線間に接続された複数の容量性発光素子と、前記走査線を異なる第１電位又は第2電位のいずれか一方に接続自在とする走査スイッチ手段と、前記ドライブ線を前記第1電位又は第２電位又は駆動源のいずれかに接続自在とする駆動スイッチ手段と、前記駆動スイッチ手段及び前記走査スイッチ手段を制御する発光制御手段と、からなり、前記走査スイッチ手段が前記走査線を前記第１電位又は第２電位のいずれか低い方へ接続する走査期間に同期して前記駆動スイッチ手段が選択的に前記ドライブ線を駆動源に接続して、選択された容量性発光素子を発光せしめる容量性発光素子ディスプレイ装置において、▲１▼すべてのドライブ線のうち、前回及び今回の走査期間において駆動源への接続がなされない非接続維持ドライブ線を選択し、リセット期間において、すべての走査線を同一電位からなるリセット電位に接続すると共に、選択された非接続維持ドライブ線を開放し、他のドライブ線を前記リセット電位に接続するか、または、▲２▼すべてのドライブ線のうち、今回の走査期間において駆動源への接続がなされない非接続ドライブ線を選択し、リセット期間において、すべての走査線を同一電位からなるリセット電位に接続すると共に、選択された非接続ドライブ線を開放し、他のドライブ線を前記リセット電位に接続するようにしたので、消費電力を増大させることなく発光立上りが速い容量性発光素子ディスプレイ装置を提供できる。
【図面の簡単な説明】
【図１】  有機エレクトロルミネセンス素子の断面図である。
【図２】  有機エレクトロルミネセンス素子の等価回路を示す図である。
【図３】  有機エレクトロルミネセンス素子の駆動電圧−電流−発光輝度特性を概略的に示すグラフである。
【図４】  従来の有機エレクトロルミネセンス素子を用いた表示装置の構成及びこれに適用される０Ｖリセット駆動法を説明するためのブロック図である。
【図５】  従来の有機エレクトロルミネセンス素子を用いた表示装置の構成及びこれに適用される０Ｖリセット駆動法を説明するためのブロック図である。
【図６】  従来の有機エレクトロルミネセンス素子を用いた表示装置の構成及びこれに適用される０Ｖリセット駆動法を説明するためのブロック図である。
【図７】  従来の有機エレクトロルミネセンス素子を用いた表示装置の構成及びこれに適用される０Ｖリセット駆動法を説明するための概略回路図である。
【図８】  有機エレクトロルミネセンス素子を用いた本発明によるディスプレイ装置の構成を説明するためのブロック図である。
【図９】  本発明によるディスプレイ装置のリセット駆動法による第１態様を示すフローチャートである。
【図１０】  本発明によるディスプレイ装置のリセット駆動法による第２態様を示すフローチャートである。
【図１１】  本発明による実施例の有機エレクトロルミネセンス素子を用いた表示装置の構成及びこれに適用されるＶCC ０Ｖリセット駆動法を説明するためのブロック図である。
【図１２】  本発明による実施例の有機エレクトロルミネセンス素子を用いた表示装置の構成及びこれに適用されるＶCC ０Ｖリセット駆動法を説明するためのブロック図である。
【図１３】  本発明による実施例の有機エレクトロルミネセンス素子を用いた表示装置の構成及びこれに適用されるＶCC ０Ｖリセット駆動法を説明するためのブロック図である。
【図１４】  本発明による他の実施例の有機エレクトロルミネセンス素子を用いた表示装置の構成及びこれに適用されるＶCC ０Ｖリセット駆動法を説明するためのブロック図である。
【図１５】  本発明による他の実施例の有機エレクトロルミネセンス素子を用いた表示装置の構成及びこれに適用されるＶCC ０Ｖリセット駆動法を説明するためのブロック図である。
【図１６】  本発明による他の実施例の有機エレクトロルミネセンス素子を用いた表示装置の構成及びこれに適用されるＶCC ０Ｖリセット駆動法を説明するためのブロック図である。
【符号の説明】
１  陰極線走査回路
５1〜５n   走査スイッチ
２  陽極線ドライブ回路
２1〜２m  電流源
６1〜６m  ドライブスイッチ
３  陽極線リセット回路
７1〜７m  シャントスイッチ
Ａ1〜Ａm  陽極線
Ｅ1,1〜Ｅm,n  有機エレクトロルミネッセンス素子
Ｂ1〜Ｂn  陰極線
４０  発光制御回路
４１  同期分離回路
４２  タイミングパルス発生回路
４３  Ａ／Ｄ変換器
４４  メモリ
４５  制御回路
４６  出力処理回路
４７  走査タイミング信号発生回路
１２０  容量性発光パネル
【図１】
0003647013.tif 000002
【図２】
0003647013.tif 000003
【図３】
0003647013.tif 000004
【図４】
0003647013.tif 000005
【図５】
0003647013.tif 000006
【図６】
0003647013.tif 000007
【図７】
0003647013.tif 000008
【図８】
0003647013.tif 000009
【図９】
0003647013.tif 000010
【図１０】
0003647013.tif 000011
【図１１】
0003647013.tif 000012
【図１２】
0003647013.tif 000013
【図１３】
0003647013.tif 000014
【図１４】
0003647013.tif 000015
【図１５】
0003647013.tif 000016
【図１６】
0003647013.tif 000017